(57)【要約】【課題】限流ヒューズを装着した円筒形高圧カットアウトのヒューズ溶断表示装置においては、ヒューズが溶断した場合に飛出し表示する表示体が設計上の各種制約を受けて大きくできないため、保守点検時に外部下方から視認し難いと言う課題があった。【解決手段】上記課題を解決するため本願発明は、カットアウトの下端開口部に取脱自在に挿着する透明の蓋体には、該蓋体の底面部の中央に位置してヒューズの溶断時、同ヒューズの溶断に伴って下端に具える表示体が垂下没入する凹状の表示部を形成すると共にさらに同表示部を中心にして周面部方向に向かう壁状の補助表示部を複数放射状に形成したことを特徴とする円筒形高圧カットアウトのヒューズ溶断表示装置を提案するものである。【選択図】図１
2005235609.tif 000002
【特許請求の範囲】
【請求項１】
カットアウトの下端開口部に取脱自在に挿着する透明の蓋体には、該蓋体の底面部の中央に位置してヒューズの溶断時、同ヒューズの溶断に伴って下端に具える表示体が垂下没入する凹状の表示部を形成すると共にさらに同表示部を中心にして周面部方向に向かう壁状の補助表示部を複数放射状に形成したことを特徴とする円筒形高圧カットアウトのヒューズ溶断表示装置。
【発明の詳細な説明】
【技術分野】
【０００１】
本願発明は円筒形高圧カットアウトにおける限流ヒューズの溶断表示装置に関するものであり、特に構造が簡単で外部からのヒューズ溶断の確認がし易いヒューズ溶断表示装置を提案しようとするものである。
【背景技術】
【０００２】
円筒形高圧カットアウトに限流ヒューズを装填した場合のヒューズ溶断表示装置は、従来においては、円筒形高圧カットアウトの下端開口部に取脱自在に挿着した透明の密栓のその表示筒部内にヒューズ溶断に伴ってバネにより飛び出し分離した表示体が落下すようになっており、作業者等はこの表示体の落下状態を透明の密栓の外部から確認して溶断状態を知るようになっている。（例えば、特許文献１参照。）
【０００３】
【特許文献１】実開昭５０−３７０３５号公報（第１頁、第１図）
【発明の開示】
【発明が解決しようとする課題】
【０００４】
しかしながら一般的にこの種の限流ヒューズは、ヒューズの溶断時に表示体がバネにより飛び出すだけで上記のように飛び出しと同時に離脱する方式にはなっていないため、該溶断表示装置は既存の限流ヒューズの場合には使用できず、先行例のように特別方式のヒューズに限定して使用できるものであった。
また、該表示装置は飛び出しが悪くて該表示体が表示筒部の途中に引っ掛かったり、作業者が下方から見た場合に落下した表示体はその先端の小さな部分しか見えず溶断状態の確認がし難いという問題があった。
【課題を解決するための手段】
【０００５】
本願発明は上記の問題点を解決することを目的とするもので、蓋体側の取替えだけで既存の限流ヒューズが使用でき、また簡単な構造でもって表示部分を大きくして溶断状態を下方からでも視認しやすくしたもので、具体的にはカットアウトの下端開口部に取脱自在に挿着する透明の蓋体には、該蓋体の底面部の中央に位置してヒューズの溶断時、同ヒューズの溶断に伴って下端に具える表示体が垂下没入する凹状の表示部を形成すると共にさらに同表示部を中心にして周面部方向に向かう壁状の補助表示部を複数放射状に形成したことを特徴とする円筒形高圧カットアウトのヒューズ溶断表示装置を提案するものである。
【発明の効果】
【０００６】
本願発明のヒューズ溶断装置は、既存の限流ヒューズをそのまま使用し、蓋体を交換するだけで実施できるため、従来の表示装置のように特別の限流ヒューズと特別の蓋体を用意するのに比べて簡単に実施できコスト低減が図れる。
【０００７】
また、ヒューズ溶断時、表示体の突出（飛出し）状況が中央の表示部及び表示部を中心にして放射状に形成した補助表示部からも視認でき、あたかも蓋体の底面全体に広がって視認できるため、外部下方からの確認が一段とし易くなる。
【発明を実施するための最良の形態】
【０００８】
本願発明のヒューズ溶断表示装置は、円筒形高圧カットアウトに一般形の限流ヒューズを装着し、これに透明の蓋体を用いて構成し、該蓋体にはその底面の中央に位置して凹状の表示部と該表示部を中心にして放射状に壁状の補助表示部を設ける。そしてヒューズ溶断時、ヒューズの表示体が上記表示部内に垂下没入すると着色した表示体は表示部において視認できるだけでなくレンズ効果により底面に放射状に形成した各補助表示部においても視認できるため、作業者が外部下方から見るとあたかも蓋体の底面全体で着色された如くなり、ヒューズの溶断状態の確認がし易くなる。
以下、本願発明のヒューズ溶断表示装置について、図１乃至図１３に基づき説明する。
【実施例１】
【０００９】
図１は耐雷形円筒形高圧カットアウト１に本願発明の溶断表示装置２を応用した場合を示すもので図１乃至は図８に示すように、３は下部が一部側方へ張出する円筒形磁器からなる本体、４は上部口出線、５は上部固定電極、６は消弧棒７と消弧筒８とからなる細隙消弧装置、９は緩衝リング、１０は下部固定電極、１１は酸化亜鉛（ＺｎＯ）からなる耐雷素子１２の外周面を両端面に密着する上部端子１３、下部端子１４の両端子と共に絶縁部材１５によりモールド被覆されてユニット化した耐雷ユニット、１６は負荷側放電電極、１７は接地側放電電極、Ｇは放電ギャップ、１８は接続導体、１９は接続リード、２０は下部口出線、２１は取付金具、２２は放電電極用取付金具をそれぞれ示す。
【００１０】
また２３は本体の下端開口部３ａに接着材等で固着された透明のポリカボネート或いは不透明のポリエチレン等の合成樹脂からなる下部カバーであり、本体下端に固着した同カバーの開口部２３ａにさらに後述の蓋体２５が取脱自在に挿着されて同カバーの開口部を閉鎖するようになっている。またカバー２３は同時に上記耐雷ユニット１１を保持する役目を持つもので、嵌め込み方式の収納部２３ｂに収納保持されている。２３ｃはヒューズ用の挿入ガイド部、２３ｄは連結紐孔、２４は蓋体を連結するための連結紐、２６は蓋体用の係止バネを示す。
【００１１】
また、２７は円筒形カットアウトに装着された円筒形高圧カットアウトに使用する一般的なタイプ（周知）の限流ヒューズであり、同ヒューズの上部接触子２８がカットアウトの上部固定電極５に、また下部接触子２９がカットアウトの下部固定電極１０にそれぞれ接触して図示するように垂直保持されている。３０はヒューズ下部に位置する表示体収納筒であり、ヒューズの溶断時その下端の表示穴３０ａより棒状の表示体３１が突出して溶断状態を知らしめるもので、ヒューズの健全時（常時）は表示用抵抗線によりその突出（飛出し）が阻止されて筒内に没入状態で収納されており、ヒューズの溶断に伴って同抵抗線が切れると拘束が解かれた表示体３１がバネにより表示穴３０ａから飛び出すもので、突出する表示体３１は赤色や黄色等の目立ちやすい色に着色された合成樹脂で成形されている。
【００１２】
また２５は上記限流ヒューズ２７と共にヒューズ溶断表示装置２を構成する蓋体であり、同蓋体は全体が略杯形に形成されたポリカボネート等の透明の合成樹脂からなり、周面部２５ａと、底面部２５ｂと、周面部２５ａの上部に位置し周面部よりさらに外方へ突出する係止段部２５ｃと、底面部２５ｂの下部に位置し同面中央より下方垂直方向へ向かって突出する筒状の持手部２５ｄとからなり、さらに上記底面部２５ｂにはその中央に位置して下部（底面）を丸くした凹状の表示部２５ｅと、凹状の表示部２５ｅを中心にして周面方向に向かう適度の幅ａと表示部２５ｅの深さと同じ厚みｂを有する壁状の補助表示部２５ｆが複数放射状に形成されている。つまり、壁状の補助表示部２５ｆにより底面部２５ｂの全体が丁度、８分割された状態になり、さらに補助表示部２５ｆと隣接する補助表示部２５ｆ間に位置して水抜穴２５ｇが形成されている。
２５ｈは連結紐穴、２５ｉは表示部２５ｅの底面に形成された水抜穴を示す。
なお、同蓋体２５は下部カバー２３の開口部２３ａに取脱自在に挿着して同開口部２３ａを閉鎖するもので、同部に挿着する蓋体２５はその係止段部２５ｃが係止用バネ２６により係止された構成である。
【００１３】
以上のように本願発明のヒューズ溶断表示装置２は限流ヒューズ２７と蓋体２５とから構成されている。
かかる構成の表示装置において、過負荷や短絡により過大電流が流れるとヒューズ２７が溶断する。ヒューズ２７が溶断するとそれに伴って表示抵抗線が切れる。表示抵抗線が切断すると表示体３１の抵抗線による拘束が解かれ、同表示体３１が表示体収納筒３０の表示穴３０ａから突出する。突出した表示体３１は蓋体２５の凹状の表示部２５ｅに没入垂下する。
【００１４】
この状態を蓋体２５の下方外部から見ると蓋体が透明でできているため、表示部２５ｅを介して着色した表示体３１を外部から視認することができる。また、この場合、凹状の表示部２５ｅを中心に位置して放射状に複数形成した壁状の各補助表示部２５ｆも同部のレンズ効果により表示部内に位置する着色した表示体が視覚できる。したがって表示部２５ｅとこれを中心にして放射状に形成した各補助表示部２５ｆのそれぞれから着色した表示体が視認できるため、あたかも蓋体の外部全面が表示体の色に着色された状態になり、保守点検時等、作業者が外部下方から見た場合このヒューズの溶断状態の確認が一段とし易くなる。
【実施例２】
【００１５】
図９は表示装置の第２の実施例を示すもので、図９乃至図１３に示すように前記第１実施例とは大略同一であるが、円筒形高圧カットアウト１が一般形であるほか、蓋体３２を下部カバー３３に挿着した場合にその係止手段が異なることが相違する。つまり、第２実施例のものは周面部３２ａの上部に位置して適当間隔に弾性を付与するためのスリ割状の係止部３２ｃが複数形成されていてこれが蓋体の挿着時、カバーの突出部３３ａに弾力的に係止するようにしたもので、第１実施例のように下部カバーに複数の係止用のバネを付設していないことが相違する。
【００１６】
以上のように本願発明のヒューズ溶断装置は、既存の限流ヒューズをそのまま使用し、蓋体を交換するだけで実施できるため、従来のこの種のヒューズ溶断表示装置のように特別の限流ヒューズと特別の蓋体を用意するのに比べて簡単に実施できコスト低減が図れる。
【００１７】
また、ヒューズ溶断時、表示体の突出（飛出し）状況が中央の表示部と表示部を中心にして放射状に形成した補助表示部からも見え、あたかも蓋体の底面全体に広がって視認することができ、点検時等において作業者は外部下方からの確認が一段とし易くなる。
【産業上の利用可能性】
【００１８】
円筒形高圧カットアウト以外にも、表示体を有する限流ヒューズを使用したスイッチ類などの溶断表示部に使用することができる。
【図面の簡単な説明】
【００１９】
【図１】本願発明のヒューズ溶断表示装置を耐雷形円筒形高圧カットアウトに使用した場合の実施例を示す縦断面図。
【図２】ヒューズ溶断前の溶断表示装置の拡大断面図。
【図３】ヒューズ溶断表示状態の溶断表示装置の拡大断面図。
【図４】蓋体を内部から見た底面図。
【図５】図４におけるＡ−Ａ断面図。
【図６】図５のＡ−Ａ断面の斜視図。
【図７】蓋体を外部から見た底面図。
【図８】ヒューズ溶断状態における同じく蓋体を外部から見た底面図。
【図９】第２の実施例を示す本願発明のヒューズ溶断表示装置を円筒形高圧カットアウトに使用した場合の実施例を示す縦断面図。
【図１０】蓋体を内部から見た底面図。
【図１１】図１０におけるＡ−Ａ断面図。
【図１２】図１０のＡ−Ａ断面の斜視図。
【図１３】蓋体を外部から見た底面図。
【符号の説明】
【００２０】
１  円筒形高圧カットアウト
２  ヒューズ溶断表示装置
２３、３３  下部カバー
２５、３２  蓋体
２５ａ、３２ａ  周面部
２５ｂ、３２ｂ  底面部
２５ｅ、３２ｅ  表示部
２５ｆ、３２ｆ  補助表示部
２７  限流ヒューズ
３１  表示体
【図１】
2005235609.tif 000003
【図２】
2005235609.tif 000004
【図３】
2005235609.tif 000005
【図４】
2005235609.tif 000006
【図５】
2005235609.tif 000007
【図６】
2005235609.tif 000008
【図７】
2005235609.tif 000009
【図８】
2005235609.tif 000010
【図９】
2005235609.tif 000011
【図１０】
2005235609.tif 000012
【図１１】
2005235609.tif 000013
【図１２】
2005235609.tif 000014
【図１３】
2005235609.tif 000015